(57)【要約】      （修正有）【課題】拡張機能用ブレーカを組み込んだ分電盤の選定作業を行う際、分電盤の選定システムにおける表記ルールに精通していない作業者であっても、戸惑うことなくスムーズに選定作業を行うことができる技術を提供する。【解決手段】分電盤の選定システムは、ユーザ側端末１と、サーバ２から構成され、ユーザ側端末１には、分電盤の選定操作を行う入力手段３と、サーバ２から送信された情報が出力される出力手段４を備えており、サーバ２には、分電盤の選定システムにおける各種の演算処理を行う演算部５と、演算結果を記憶する記憶手段６と、分電盤の型番ごとに、各筐体内に配置される内部機器およびその配置に関する情報を、型番データとして収納したデータベース７を備えている。【選択図】図１
2015201118.tif 000002
【特許請求の範囲】
【請求項１】
ユーザが、分電盤の選定操作を行う入力手段と
分電盤の型番ごとに、各筐体内に配置される内部機器およびその配置に関する情報を収納したデータベースと、
分電盤選定に伴う演算処理を行う演算部と、
該演算部における演算処理結果を記憶する記憶手段と、
該演算処理結果をユーザに表示する出力手段を有する分電盤の選定システムであって、
前記演算部に格納される演算処理手段として、
選定した分電盤を構成する内部機器データを、前記出力手段に展開して表示させる内部機器展開表示手段
の演算処理手段を含み、
前記内部機器展開表示手段は、
前記内部機器データを内部機器表示欄に表示するとともに、
内部機器の配置位置を番号で表示した配置位置番号を、前記内部機器表示欄と並べて表示し、
更に、選定した分電盤を構成する各内部機器に関する盤内配置図を前記出力手段に表示するとともに、
極数や種類に応じて変更される内部機器の筐体幅情報を、前記配置位置番号の表示欄もしくは前記盤内配置図の何れかに、視認可能に表示する
ことを特徴とする分電盤の選定システム。
【請求項２】
内部機器の筐体幅が、筐体幅の基準とされる基準幅のＮ倍の場合、
該基準幅の場合のＮ倍のスペースを確保するように、前記盤内配置図に前記筐体幅情報を表示する
ことを特徴とする請求項１記載の分電盤の選定システム。
【請求項３】
内部機器の筐体幅が、筐体幅の基準とされる基準幅のＮ倍の場合、
該基準幅の場合のＮ個の配置位置番号を使用して、前記配置位置番号の表示欄に前記筐体幅情報を表示する
ことを特徴とする請求項１記載の分電盤の選定システム。
【請求項４】
前記演算部に格納される演算処理手段として、
前記入力手段を通じて前記配置位置番号の変更情報が入力されたとき、内部機器の配置位置の書き換え処理を行う配置位置変更手段を含む
ことを特徴とする請求項２または請求項３何れか記載の分電盤の選定システム。
【請求項５】
前記配置位置変更手段は、
前記入力手段からの前記配置位置番号の変更を受けて、盤内配置図を変更することを特徴とする
請求項４記載の分電盤の選定システム。
【発明の詳細な説明】
【技術分野】
【０００１】
本発明は、分電盤の選定システムに関するものである。
【背景技術】
【０００２】
分電盤の選定システムとして、選定作業を行うユーザが、入力手段からの操作を行うことにより、予めデータベースに記憶された標準品情報から、所望の分電盤に類似する分電盤の標準品情報を読み出し、その標準品情報を、ユーザ側の画面に盤内部を模した盤内イメージで表示する技術や、この盤内イメージ画面を操作しながら分電盤内の機器の変更を行う技術が開示されている（特許文献１）。
【０００３】
近年、分電盤内に、太陽光用、ＩＨ用、自然冷媒ヒートポンプ給湯機用、ガス発電用、燃料電池用等、新たな拡張機能用のブレーカ（以下、「拡張機能用ブレーカ」という）を組み込む需要が増加している。これらの拡張機能用ブレーカは、一般に使用されるブレーカと、容量や極数が異なる。
【０００４】
従来の分電盤の選定システムでは、例えば、３極用のブレーカで、形状としては分岐ブレーカ２極分に相当する拡張機能用ブレーカを、分電盤内で、分岐ブレーカと並べて配置する場合には、拡張機能用ブレーカが分岐ブレーカ２極分に相当するスペースを占有するが、分電盤の選定作業を行う際の選定画面や、設計図面では、拡張機能用ブレーカも、通常の分岐ブレーカと同じ１極分サイズに標記し、その隣接位置にブランクスペースを設ける手法が採用されている。
【０００５】
しかし、このように、拡張機能用ブレーカも、通常の分岐ブレーカと同じサイズに標記し、その隣接位置にブランクスペースを設ける手法では、このルールを知らない作業者が、ブランクスペースの意味が理解できず戸惑う等、分電盤の選定が行いにくいという問題があった。
【先行技術文献】
【特許文献】
【０００６】
【特許文献１】特許３７７７８６７号公報
【発明の概要】
【発明が解決しようとする課題】
【０００７】
本発明の目的は前記の問題を解決し、拡張機能用ブレーカを組み込んだ分電盤の選定作業を行う際、分電盤の選定システムにおける表記ルールに精通していない作業者であっても、戸惑うことなくスムーズに選定作業を行うことができる技術を提供することである。
【課題を解決するための手段】
【０００８】
上記課題を解決するためになされた請求項１記載の分電盤の選定システムは、ユーザが、分電盤の選定操作を行う入力手段と、分電盤の型番ごとに、各筐体内に配置される内部機器およびその配置に関する情報を収納したデータベースと、分電盤選定に伴う演算処理を行う演算部と、該演算部における演算処理結果を記憶する記憶手段と、該演算処理結果をユーザに表示する出力手段を有する分電盤の選定システムであって、前記演算部に格納される演算処理手段として、選定した分電盤を構成する内部機器データを、前記出力手段に展開して表示させる内部機器展開表示手段の演算処理手段を含み、前記内部機器展開表示手段は、前記内部機器データを内部機器表示欄に表示するとともに、内部機器の配置位置を番号で表示した配置位置番号を、前記内部機器表示欄と並べて表示し、更に、選定した分電盤を構成する各内部機器に関する盤内配置図を前記出力手段に表示するとともに、極数や種類に応じて変更される内部機器の筐体幅情報を、前記配置位置番号の表示欄もしくは前記盤内配置図の何れかに、視認可能に表示することを特徴とするものである。
【０００９】
請求項２記載の発明は、請求項１記載の分電盤の選定システムにおいて、内部機器の筐体幅が、筐体幅の基準とされる基準幅のＮ倍の場合、該基準幅の場合のＮ倍のスペースを確保するように、前記盤内配置図に前記筐体幅情報を表示することを特徴とするものである。
【００１０】
請求項３記載の発明は、請求項１記載の分電盤の選定システムにおいて、内部機器の筐体幅が、筐体幅の基準とされる基準幅のＮ倍の場合、該基準幅の場合のＮ倍個の配置位置番号を使用して、前記配置位置番号の表示欄に前記筐体幅情報を表示することを特徴とするものである。
【００１１】
請求項４記載の発明は、請求項１記載の分電盤の選定システムにおいて、前記演算部に格納される演算処理手段として、前記入力手段を通じて前記配置位置番号の変更情報が入力されたとき、内部機器の配置位置の書き換え処理を行う配置位置変更手段を含むことを特徴とするものである。
【００１２】
請求項５記載の発明は、請求項６記載の分電盤の選定システムにおいて、前記配置位置変更手段は、前記入力手段からの入力操作力による前記配置位置番号の変更を受けて、盤内配置図を変更することを特徴とするものである。
【発明の効果】
【００１３】
本発明に係る分電盤の選定システムでは、内部機器展開表示手段は、前記内部機器データを内部機器表示欄に表示するとともに、内部機器の配置位置を番号で表示した配置位置番号を、前記内部機器表示欄と並べて表示し、更に、選定した分電盤を構成する各内部機器に関する盤内配置図を前記出力手段に表示するとともに、極数や種類に応じて変更される内部機器の筐体幅情報を、前記配置位置番号の表示欄もしくは前記盤内配置図の何れかに、視認可能に表示する構成を採用しているため、従来のように、多極式のブレーカを通常の分岐ブレーカと同じサイズに標記し、その隣接位置にブランクスペースを設ける表記ルールを採用したものに比べて、分電盤の選定システムにおける表記ルールに精通していない作業者であっても、戸惑うことなくスムーズに選定作業を行うことができ、拡張機能用ブレーカを組み込んだ分電盤の選定作業を行う際の選定作業の作業性を、格段に向上をさせることができる。
【図面の簡単な説明】
【００１４】
【図１】実施形態１の分電盤の選定システムを説明するブロック図である。
【図２】データベースに記憶された型番データの説明図である。
【図３】実施形態１を説明するフロー図である。
【図４】ＳＴ１でユーザ側端末に表示される画面の説明図である。
【図５】ＳＴ３，４でユーザ側端末に表示される画面の説明図である。
【図６】ＳＴ５でユーザ側端末に表示される画面の説明図である。
【図７】ＳＴ５でユーザ側端末に表示される画面の説明図である。
【図８】「プレビュー画面」ボタンを押した際に表示される画面の説明図である。
【図９】「内容確認画面」ボタンを押した際に表示される画面の説明図である。
【図１０】ＳＴ６でユーザ側端末に表示される画面の説明図である。
【図１１】ＳＴ７でユーザ側端末に表示される画面の説明図である。
【図１２】実施形態２のＳＴ３，４でユーザ側端末に表示される画面の説明図である。
【図１３】実施形態２のＳＴ７でユーザ側端末に表示される画面の説明図である。
【図１４】実施形態３のＳＴ３，４でユーザ側端末に表示される画面の説明図である。
【図１５】実施形態３のＳＴ７でユーザ側端末に表示される画面の説明図である。
【発明を実施するための形態】
【００１５】
以下に本発明の好ましい実施形態を示す。
【００１６】
本実施形態の分電盤の選定システムは、図１に示すように、ユーザ側端末１と、サーバ２から構成され、ユーザ側端末１とサーバ２は、直接または通信回線を介して接続されている。ユーザ側端末１は、複数設けることもできる。
【００１７】
ユーザ側端末１には、分電盤の選定操作を行う入力手段３と、サーバ２から送信された情報が出力される出力手段４を備えている。
【００１８】
サーバ２には、分電盤の選定システムにおける各種の演算処理を行う演算部５と、演算結果を記憶する記憶手段６と、分電盤の型番ごとに、各筐体内に配置される内部機器およびその配置に関する情報を、型番データとして収納したデータベース７を備えている。型番データは、図２に示すように、型番を、分電盤内に配置される内部機器（主幹ブレーカ、一次送りブレーカ、分岐ブレーカ、拡張機能を付与された拡張機能用ブレーカ等）データと結び付けたものであり、内部機器の種類と数に関する情報を伝えるものである。「拡張機能用ブレーカ」とは、分岐ブレーカと容量や極数が異なるブレーカであり、太陽光用、ＩＨ用、自然冷媒ヒートポンプ給湯機用、ガス発電用、燃料電池用に使用されるものである。
【００１９】
格納される演算処理手段として演算部５には、後述する型番選択手段８、内部機器展開表示手段９、配置位置変更手段１０、設定手段１１、関連データ作成手段２１等、本システムにより分電盤の選定を行う際に用いられる各演算手段が格納されている。
【００２０】
本実施形態では、分電盤の希望仕様データが入力されたとき、図１に示すように、データベース７に記憶された型番データから、最適な型番データを自動に選択する型番選択手段８を、サーバ２内に備えているが、型番選択手段８をユーザ側端末１にダウンロード可能なプログラムとすることもできる。
【００２１】
以下、図３のフローに従って、本システムにより分電盤の選定を行う流れを具体的に説明する。
【００２２】
（ＳＴ１）ユーザ側端末１の出力手段４に図４に示す画面を表示した状態で、ユーザが、入力手段３を通じて、分電盤の希望仕様データの入力を行う。希望仕様データの入力方法は、特に限定されず、例えば、分電盤の型番を直接入力したり、あるいは、主幹ブレーカの容量や種類(漏電、サーキットブレーカ等を選択)、分岐ブレーカの総数(実装数と予備スペース)、・オプション（リミッタスペース、付属機器取付・取付スペース）等をプルダウンリストから選択して入力する等、任意の方法を採用することができる。
【００２３】
（ＳＴ２）サーバ２内で、型番選択手段８が、データベース７に記憶された型番データから、最適な型番を自動的に選択して出力手段４に表示させる。詳しくは、図５に示すように、前記希望仕様入力データに合致もしくは近似する型番を選択して表示する。なお、近似する型番を選択する場合のルール（例えば、最も低コストなものを選択する等）は、事前に選択することができる。合致もしくは近似する型番がない場合は、その旨が、ユーザ側端末１の出力手段４に表示される。
【００２４】
（ＳＴ３、４）サーバ２内で、内部機器展開表示手段９が、型番選択手段８により選択された型番を取得後、選定した分電盤を構成する内部機器データを、出力手段４に展開して表示させるとともに、（例えば、図５に示す画面を表示させる。）内部機器の負荷名称が入力される負荷名称入力欄１３を、内部機器データを展開して表示された内部機器が表示される内部機器表示欄２０と並べて表示する。その後、関連データ作成手段２１により、前記負荷名称入力欄１３に入力される負荷名称と、該入力された負荷名称の隣に表示された内部機器とを、関連データとして結び付ける演算処理が行われる。上記のような表示とすることにより、内部機器の種類を変更する作業と平行して負荷名称入力作業を行う場合にも間違えが起こりにくく、負荷名称入力作業の利便性を、格段に向上をさせることができる。ここで、各々の演算処理結果を記憶する記憶手段６を備えており、具体的には、型番選択手段７より選択された型番を記憶手段６に記憶し、内部機器展開表示手段８により、記憶された型番から内部機器データを表示手段４に展開して表示させる処理を行わせる。なお、記憶手段１３については、本実施形態においてはサーバ２に形成しているものであるが、ユーザ側端末１に形成するものであっても良いものである。
【００２５】
なお、本明細書において、「展開して表示」とは、具体的には、例えば、同一名称に分類される分岐ブレーカが３つある場合、その同一名称を３回繰り返して表示するように、まとめて表示された型番データ（図２に示したように、データベース７に収納された型番データは、内部機器の種類と数に関する情報に留まる）を、その型番の分電盤を実際に構成する内部機器一つ一つに展開して表示することを意味する。
【００２６】
また、内部機器展開表示手段９が、図５に示すように、展開して分電盤内における各内部機器の配置位置を示す配置位置データを表示させる。配置位置データとしては、内部機器の配置位置を番号で表示した配置位置番号１５と、内部機器の配置位置を図として表示される盤内配置図１４を有する。そして、関連データ作成手段２１により、前記配置位置番号１５と、該配置位置番号１５の隣に表示された内部機器とを、関連データとして結び付ける演算処理を行われる。
【００２７】
配置位置データとして、その型番の分電盤を構成する各内部機器に関する盤内配置図１４を出力手段４に表示させる。図５に示すように、盤内配置図１４における各内部機器の位置を示す表示番号１４ａを配置位置番号１５と対応させる。これにより、盤内配置図１４を確認しながら、各内部機器の配置位置を確認することができるので、後述する配置位置変更手段１０により内部機器の配置を変更する作業の利便性向上させることができる。なお、盤内配置図１４は、型番データに予め登録されているものであるが、その際、予め設定された「分岐ブレーカの配置ルール」（例えば、「機能ブレーカを選択したときは最端部に設定する。」「予備スペースがある場合は予備スペースが最も最端部に設定する。」等）に従って、自動作成される。
【００２８】
（ＳＴ５）ユーザ側端末１の出力手段４に図５に示す画面を表示した状態で、ユーザが、入力手段３を通じて、負荷名称入力欄１３に負荷名称の入力を行う。本実施形態では、負荷名称の入力を行う設定手段１１を有しており、負荷の設置箇所、負荷の用途、負荷の使用電流値等の項目を予め設定させておく。そして、図６に示すように、設定手段１１によりプルダウンリストを表示させ、ユーザは入力手段３を通じて負荷名称の選択を行い負荷名称入力欄１３に入力させるものである。本実施形態においては、１つの内部機器表示欄２０に３つの負荷名称入力欄１３を形成し、設定手段１１により各々の入力欄に負荷の設置箇所、負荷の用途、負荷の使用電流値等異なる用途のプルダウンリストを表示させる。設定手段１１によりプルダウンリストに全ての用途を表示させるものでも良い。なお、設定手段１１により表示させるプルダウンリストには、ユーザが予め設定したリストを表示させることもできる。他の負荷名称の入力方法として、図７に示すように、負荷名称を直接入力させることもできる。なお、図６または図７の画面にある「プレビュー画面」ボタンを押すと、図８のように、実際の分電盤に搭載される「負荷名称表示部」に表記した状態を示す画面を表示させ確認可能としている。
【００２９】
（ＳＴ６，ＳＴ７）配置位置変更手段１０が、入力手段３を通じて、配置位置番号１５の変更情報が入力されたとき、前記配置位置番号と関連付けられた内部機器及び内部機器に関連付けられた負荷名称とともに配置位置の書き換え処理を行う。これにより、内部機器の配置を変更する作業と平行して、負荷名称入力作業を行う場合にも、間違えが起こりにくく、負荷名称入力作業の利便性を、格段に向上をさせることができる。内部機器の配置位置を変更する場合には、例えば、図１０、図１１に示すように、位置情報欄１６に記載の配置位置番号１５の書き換えを行う。図１０には、配置位置番号１５を「８」から「７」に書き換えた状態を示している。
【００３０】
図１０に示すように、位置情報欄１６に記載の配置位置番号１５の書き換えが行われた場合、演算部５の配置位置変更手段１０が、内部機器の配置位置の書き換え処理を行う。内部機器は位置情報欄１６に記載の配置位置番号１５を元に順番に出力手段４に表示されており、内部機器の配置位置の書き換え処理は、この配置位置番号１５を変更することにより、図１１に示すように、内部機器の１つの配置位置番号１５の書き替えが行われた場合には、内部機器、配置位置番号１５，負荷名称が各々関連データ作成手段２１によって関連付けられているため、配置位置番号１５が変わるとともに、内部機器と負荷名称も連動して配置位置が変更される。なお、元の表示位置にあった内部機器及び負荷名称は１つ表示位置をずらして表示される。この際も、内部機器及び負荷名称は関連付けられているため連動して配置位置も変更されるものである。このようにすることにより、分岐ブレーカの配置位置を変更する設計作業を、簡単に行うことができる。
【００３１】
（ＳＴ８）
上記ＳＴ１〜７のステップを経た後、サーバ内で、設計図面が作成され、ユーザ側端末１に表示される。また、この設計図面を元に見積書がサーバ２により作成され、サーバ２内に保存される。なお、図９に示す画面から、更に、見積書や設計図面の確認画面を呼び出して確認を行うことができる。
【００３２】
上記実施形態では、（ＳＴ３）で、図５に示した画面が表示されるが、他の実施形態として、図１２に示す画面や、図１３に示す画面を表示させることもできる。図１２、図１３に示す画面では、内部機器表示部２０は、分岐ブレーカの情報を表示する分岐詳細欄１７と、拡張機能用ブレーカの情報を表示する機能詳細欄１８が別々に表示されている。このように別々に形成することにより、使用される内部機器の詳細が容易に把握することが可能である。また、内部機器展開手段９は、極数や種類に応じて変更される内部機器の筐体幅情報を、配置位置番号１５の表示欄となる位置情報欄１６もしくは盤内配置図１４の何れかに視認可能に表示させることが可能である。
【００３３】
（実施形態２）
本実施形態においては、図１２に示すように、内部機器のうち筐体幅が基準幅のＮ倍の内部機器を有する場合、基準幅の場合のＮ倍のスペースを確保するように、盤内配置図１４に筐体幅情報を表示させる。ここで、基準幅としては、データベース７に収納される分電盤に最も多く組み込まれる内部機器となる分岐ブレーカの筐体幅を基準幅として規定しておくものである。例えば、拡張機能用ブレーカの情報を表示する機能詳細欄１８に記載の「パワコン（パワーコンディショナの略）」に接続されるブレーカは、３極用のブレーカで、形状としては筐体幅の基準として規定された分岐ブレーカ２倍に対応する機器である。本実施形態では、このような拡張機能用ブレーカの筐体幅情報を、図１２に示すように、盤内配置図１４に、視認可能に表示させている。具体的には、「パワコン」に接続されるブレーカが配置される位置の表示番号１４ａを付したスペースには、他の分岐ブレーカが配置される位置の表示番号１４ａを付したスペースの２倍のスペースが確保されて表示されている。これにより、分電盤の選定システムにおける表記ルールに精通していない作業者であっても、戸惑うことなくスムーズに選定作業を行うことができる。なお、内部機器の筐体幅情報は、基準幅の等倍の値として予め規定しておき、分岐ブレーカの取付スペースに適応するように等倍の内部機器とされている。
【００３４】
本実施形態では、配置位置変更手段１０は、入力手段３からの配置位置番号１５の変更を受けて、盤内配置図１４の書き換え処理を行わせる。具体的には、位置情報欄１６に記載の配置位置番号１５の書き換えとともに、盤内配置図１４の書き換え処理を行わせる。図１２に示す内部機器のうち、配置位置番号１５が「１１」の拡張機能用ブレーカを図１４に示すように配置位置番号１５を「５」の配置に変更したものを示したもので、盤内配置図１４の２倍のスペース位置も変更させるものである。この場合、書き換え前の配置位置番号「５」〜「１０」が、各々表示をずらして書き換えられる。
【００３５】
本実施形態でも、実施形態１のように、配置位置番号１５と内部機器、負荷名称を関連データ作成手段２１によって関連付けされているため、連動して配置位置も変更されるものである。このようにすることにより、内部機器の配置位置を変更する設計作業を、簡単に行うことができる。
【００３６】
（実施形態３）
極数や種類に応じて変更される内部機器の筐体幅情報を視認可能に表示する他の方法として、内部機器展開手段９は、その内部機器のうち筐体幅が基準幅のＮ倍の場合、該基準幅の場合のＮ個の配置位置番号１５を使用して、位置情報欄１６に内部機器の筐体幅情報を表示するものである。本実施形態では、図１３や図１５に示すように、内部機器表示欄２０に隣接して形成した位置情報欄１６の配置位置番号１５に視認可能に表示させている。具体的には、「パワコン」に接続されるブレーカの位置情報欄１６には、配置位置番号１５が２つ記載されている。なお、実施形態１と同様に、内部機器の筐体幅は基準幅の等倍の値として規定されている。
【００３７】
本実施形態では、配置位置変更手段１０が、入力手段３から基準幅のＮ倍の筐体幅を持つ内部機器のＮ個の配置位置番号１５のうち１つの配置位置番号１５の変更を受けたとき、Ｎ個の配置位置番号１５のうち他の配置位置番号１５の書き換えを行わせることによって位置表示欄１６での書き換え処理を行わせる。図１３に示す内部機器のうち、位置情報欄１６の配置位置番号１５が「１１」「１３」の機器を、図１５に示すように配置位置番号１５の２個の配置位置番号１５の「１１」を「５」の配置に変更したものを示したものである。この場合、書き換え前の配置位置番号「５」〜「１０」が、表示をずらして書き換えられると共に、Ｎ個の配置位置番号１５のうち他方の配置位置番号１５の「１３」が「５」に隣接する「７」に自動的に変更されるものである。
【００３８】
本実施形態でも、実施形態１のように、配置位置番号１５を内部機器、負荷名称を関連データ作成手段２１によって関連付けされているため、連動して配置位置も変更されるものである。このようにすることにより、分岐ブレーカの配置位置を変更する設計作業を、簡単に行うことができる。なお、図１２や図１３には、内部機器表示部２０として、分岐ブレーカの情報を表示する分岐詳細欄１７と張機能用ブレーカの情報を表示する機能詳細欄１８が別々に表示されており、その場合、分岐詳細欄１７、機能詳細欄１８ごとに配置位置番号１５の順番を元に順番に出力手段４に表示されているものであり、配置位置変更手段１０によりデータの書き換え処理を行った場合にも、分岐詳細欄１７、機能詳細欄１８内で順番を変更させるものである。
【符号の説明】
【００３９】
１  ユーザ側端末
２  サーバ
３  入力手段
４  表示手段
５  演算部
６  記憶手段
７  データベース
８  型番選択手段
９  内部機器展開表示手段
１０  配置位置変更手段
１１  設定手段
１２  詳細情報欄
１３  負荷名称入力欄
１４  盤内配置図
１４ａ  表示番号
１５  配置位置番号
１６  位置情報欄
１７  分岐詳細欄
１８  機能詳細欄
２０  内部機器表示欄 
２１  関連データ作成手段
【図１】
2015201118.tif 000003
【図２】
2015201118.tif 000004
【図３】
2015201118.tif 000005
【図４】
2015201118.tif 000006
【図５】
2015201118.tif 000007
【図６】
2015201118.tif 000008
【図７】
2015201118.tif 000009
【図８】
2015201118.tif 000010
【図９】
2015201118.tif 000011
【図１０】
2015201118.tif 000012
【図１１】
2015201118.tif 000013
【図１２】
2015201118.tif 000014
【図１３】
2015201118.tif 000015
【図１４】
2015201118.tif 000016
【図１５】
2015201118.tif 000017